(57)【要約】      （修正有）【課題】運転者の目を保護してサングラスを着用しなくても運転できるようにした補助バイザー装置を提供する。【解決手段】車輌の運転席や助手席などに設けられた既設のサンバイザー２０の表裏の面を着脱可能に挟持する取付具２と、取付具２に枢着された一対の補助バイザー部とからなる補助バイザー装置である。補助バイザー部が、偏光度、可視光線透過率または紫外線透過率の異なる第１および第２透明板１１、１２からなっており、第１透明板１１が取付具２をサンバイザー２０に取り付けた際の取付具２の上方位置で折り返し個所３の基端寄りまたは外方に枢着点が配置されるように第１ヒンジ部を設けており、第２透明板１２が取付具２をサンバイザー２０に取り付けた際の取付具２の下方位置に枢着点が配置されるように第２ヒンジ部を設けている。【選択図】図３
0003204819.tif 000002
【実用新案登録請求の範囲】
【請求項１】
車輌に設けられた既設のサンバイザーの表裏の面を着脱可能に挟持する取付具と、該取付具に枢着された一対の補助バイザー部とからなる補助バイザー装置において、
補助バイザー部が、偏光度、可視光線透過率または紫外線透過率の異なる第１および第２透明板からなっており、
第１透明板が前記取付具をサンバイザーに取り付けた際の取付具の上方位置で折り返し個所の基端寄りまたは外方に枢着点が配置されるように第１ヒンジ部を設けており、
第２透明板が前記取付具をサンバイザーに取り付けた際の取付具の下方位置に枢着点が配置されるように第２ヒンジ部を設けていることを特徴とする補助バイザー装置。
【請求項２】
取付具が、中央に折り返し個所を有し、該折り返し個所から対向して延びる上下一対の挟持片を有しており、該一対の挟持片がサンバイザーに着脱可能に固定しうることを特徴とする請求項１に記載の補助バイザー装置。
【請求項３】
サンバイザーが、運転席または助手席に設けられたサンバイザーであって、該サンバイザーに取り付けられる一対の補助バイザー部の第１ヒンジ部が、取付具の折り返し個所を超えた外側に配置されており、第２ヒンジ部が折り返し個所または折り返し個所に連なる下方の挟持片の下方に配置されていることを特徴とする請求項２に記載の補助バイザー装置。
【請求項４】
取付具が、断面がＵ字状からなって一対の挟持片の一方または双方が挟圧方向に付勢されていることを特徴とする請求項２に記載の補助バイザー装置。
【考案の詳細な説明】
【技術分野】
【０００１】
この考案は、車輌の前座席などに設けられたサンバイザーに取り付けられるようにした補助バイザー装置に関するものである。
【背景技術】
【０００２】
従来の補助バイザー装置として、例えば、特開２０１１−１６１９６２号のバイザー取り付け用サングラスでは、１つのサングラス本体をバイザーに取り付ける構成が開示されている。
このサングラスは、サングラス本体とバイザーとの相対的な位置を変更することはできるが、サングラス本体は１つであるので切り替えて使用することはできなかった。
また、実開昭５４−７８１２４号の減光調節サンバイザーでは複数の減光フィルター板を設けた構造が開示されているが、複数の減光フィルター板は、共に１つの枢軸を支点として枢動するので、収納時や、切り替えて使用する際に煩雑な操作が必要となり実用的ではなかった。
【先行技術文献】
【特許文献】
【０００３】
【特許文献１】特開２０１１−１６１９６２号公報
【特許文献２】実開昭５４−７８１２４号公報
【考案の概要】
【考案が解決しようとする課題】
【０００４】
この考案は、２種類の透明板をそれぞれ別々に使用することで、偏光度、可視光線透過率または紫外線透過率の異なる補助バイザーを使用して、運転者の目を保護してサングラスを着用しなくても運転できるようにした補助バイザー装置を提供することにある。
【課題を解決するための手段】
【０００５】
前記課題を解決するため、請求項１の考案では、
車輌に設けられた既設のサンバイザーの表裏の面を着脱可能に挟持する取付具と、該取付具に枢着された一対の補助バイザー部とからなる補助バイザー装置において、
補助バイザー部が、偏光度、可視光線透過率または紫外線透過率の異なる第１および第２透明板からなっており、
第１透明板が前記取付具をサンバイザーに取り付けた際の取付具の上方位置で折り返し個所の基端寄りまたは外方に枢着点が配置されるように第１ヒンジ部を設けており、
第２透明板が前記取付具をサンバイザーに取り付けた際の取付具の下方位置に枢着点が配置されるように第２ヒンジ部を設けていることを特徴とする。
請求項２の考案では、
前記取付具が、中央に折り返し個所を有し、該折り返し個所から対向して延びる上下一対の挟持片を有しており、該一対の挟持片がサンバイザーに固定されていることを特徴とする。
請求項３の考案では、
前記サンバイザーが、運転席または助手席に設けられたサンバイザーであって、該サンバイザーに取り付けられる一対の補助バイザー部の第１ヒンジ部が、取付具の折り返し個所を超えた外側に配置されており、第２ヒンジ部が折り返し個所または折り返し個所に連なる下方の挟持片の下方に配置されていることを特徴とする。
請求項４の考案では、
前記取付具が、断面がＵ字状からなって一対の挟持片の一方または双方が挟圧方向に付勢されていることを特徴とする。
【考案の効果】
【０００６】
第１透明板は、取付具の上方位置に枢着点が配置されるので、不使用時には取付具の上面に沿って折畳むことができ、使用時には第１透明板が取付具の折り返し個所を超えた外側に沿って使用角度に傾斜して使用に供することができる。
第２透明板は、取付具の下方位置に枢着点が配置されるので、不使用時には取付具の下面に沿って折畳むことができ、使用時には使用角度に傾斜して使用に供することができる。
従って、一方の透明板を使用する際に他方の透明板は邪魔にならずコンパクトに取付具の下面または上面に沿って収納することができるので、２種類の光学フィルターを用途に応じて簡便に使い分けすることができる。
【図面の簡単な説明】
【０００７】
【図１】補助バイザー装置の正面側から見た斜視図である。
【図２】同側面図である。
【図３】上下の透明板を折り畳んだ不使用状態の側面図である。
【図４】第１透明板を使用姿勢に変位し、第２透明板を不使用状態とした側面図である。
【図５】第２透明板を使用姿勢に変位し、第１透明板を不使用状態とした側面図である。
【図６】運転室のサンバイザーの一例を示す斜視図である。
【図７】運転室のサンバイザーに装着する状態を示す斜視図である。
【考案を実施するための形態】
【０００８】
以下、この考案の補助バイザー装置の実施例を、図面を参照して説明する。
なお、本明細書で上下とは、補助バイザー装置を水平姿勢のサンバイザーに装着した状態を基準して上下としている。
【実施例１】
【０００９】
［補助バイザー装置］
補助バイザー装置１は、図６、図７に例示するように、自動車や作業機械などの車輌の運転席や助手席などの前座席に設けられた既設のサンバイザー２０の双方またはいずれか一方を略水平にして、着脱可能に取り付けられる。
【００１０】
即ち、補助バイザー装置１は、図１、図２に明瞭なように、前記既設のサンバイザー２０の表裏の面を着脱可能に挟持する取付具２と、該取付具２に枢着された一対の補助バイザー部１０とからなっている。
【００１１】
［補助バイザー部］
該補助バイザー部１０は、異なる光学フィルターを有する第１透明板１１および第２透明板１２をそれぞれ有している。
本実施例では、第１透明板１１は可視光線透過率の高いイエローレンズからなって主に夜間運転用に使用し、第２透明板１２は可視光線透過率の低い偏光スモークレンズからなって日中などの眩しい時に使用することができるようになっている。
【００１２】
上記第１透明板１１と第２透明板１２のレンズは逆であってもよい。
また、上記第１透明板１１と第２透明板１２は、上記実施例に限らず、偏光度、可視光線透過率または紫外線透過率のいずれかが異なるレンズが設けられていればよく、これにより運転者はサングラスを着用する必要がなくなる。
【００１３】
［取付具］
取付具２は、前記サンバイザー２０の表裏の面を着脱可能に挟持する構造からなっており、本実施例では、取付具２の中央に折り返し個所３を有し、該折り返し個所３から対向して延びる上下一対の挟持片４、５を有している。
【００１４】
図示例では、断面が横向きのＵ字状の合成樹脂材からなっており、中央に断面円弧状の折り返し個所３を有し、上記円弧状の端部からそれぞれ略平行に延出する上下一対の挟持片４，５が連設されている。
【００１５】
前記挟持片４，５は、その一方または双方がサンバイザー２０側に向かう挟圧方向に付勢されている。
図示例では、挟持片４，５は、その一方または双方がその先端に向かって漸次離間する幅を狭める形状からなっており、一方の挟持片４の内面には、滑り止め用の凹凸部６が形成されている。
【００１６】
上記取付具２には、第１透明板１１を枢着する第１ヒンジ部７と、第２透明板１２を枢着する第２ヒンジ部８とが形成されている。
第１ヒンジ部７および第２ヒンジ部８は、それぞれ第１軸受部７ａおよび第２軸受部８ａが取付具２に一体に形成されており、前記第１軸受部７ａ、第２軸受部８ａには、それぞれ第１枢軸Ｐ１、第２枢軸Ｐ２が貫通している。
【００１７】
上記第１枢軸Ｐ１、第２枢軸Ｐ２には、枢動姿勢を多段階の角度または任意の角度で拘束する公知の角度規制構造（図示省略）が設けられている。
また、第１枢軸Ｐ１、第２枢軸Ｐ２は、軸受部７ａ、８ａから外方に突出する突出部分に前記第１透明板１１と第２透明板１２を連結する吊下げフレームＦ１、Ｆ２が一体形成されており、この吊下げフレームＦ１に第１透明板１１、吊下げフレームＦ２に第２透明板１２がネジ止め等により固定されている。
【００１８】
第１ヒンジ部７は、前記取付具２の上方位置で、折り返し個所３の基端寄り、または折り返し個所３の外方に枢着点となる第１枢軸Ｐ１が配置されるように形成されている。
図示例では、取付具２の折り返し個所３ないしこれに連なる上方の挟持片４の上方であって折り返し個所３を超えた外方に第１枢軸Ｐ１が配置されている。
【００１９】
そして、第２ヒンジ部８は、取付具２を略水平にしたサンバイザー２０に取り付けた際に、取付具２の下方位置に枢着点となる第２枢軸Ｐ２が配置されるよう形成されている。
図示例では、取付具２の折り返し個所３の下面ないしこれに連なる下方の挟持片５の基端側に配置されている。
【００２０】
上記構成からなっているので、第１透明板１１は、取付具２の上方位置に第１枢軸Ｐ１が配置されるので、不使用時には取付具２の上面に沿って略平行に折畳むことができ、使用時には第１透明板１１が取付具２の折り返し個所３を超えた外側に沿って使用角度に傾斜して使用に供することができる（図３〜図５参照）。
【００２１】
第２透明板１２は、取付具２の下方位置に第２枢軸Ｐ２が配置されるので、不使用時には取付具２の下面に沿って略平行に折畳むことができ、使用時には使用角度に枢動し傾斜させて使用に供することができる（図３〜図５参照）。
この考案は上記実施例に限定されるものではなく、要するにこの考案の要旨を偏光しない範囲で種々設計変更することができる。
【符号の説明】
【００２２】
１    補助バイザー装置
２    取付具
３    折り返し個所
４    上方の挟持片
５    下方の挟持片
６    凹凸部
７    第１ヒンジ部
８    第２ヒンジ部
７ａ  第１軸受部
８ａ  第２軸受部
１１    第１透明板
１２    第２透明板
２０    サンバイザー
Ｆ１  吊下げフレーム
Ｆ２  吊下げフレーム
Ｐ１  第１枢軸
Ｐ２  第２枢軸
【図１】
0003204819.tif 000003
【図２】
0003204819.tif 000004
【図３】
0003204819.tif 000005
【図４】
0003204819.tif 000006
【図５】
0003204819.tif 000007
【図６】
0003204819.tif 000008
【図７】
0003204819.tif 000009